(57)【要約】【課題】波の動画像をユーザ端末に配信し、動画像を選択するだけでその動画像が撮影されたサーフポイントに誘導されるようにする。【解決手段】ユーザが所定のエリアのサーフポイントの情報を配信するよう情報配信センタサーバに要求すると、情報配信センタサーバは、要求されたサーフポイントの動画像に対応する動画情報をインターネット等を介してユーザ端末に配信する。ユーザ端末は、情報配信センタサーバから配信された動画情報に対応する波動画を各サーフポイントの名称とともにタッチパネルに一覧表示する。ユーザが所定の波動画を選択すると、選択された波動画に対応するサーフポイントまでのルート案内が開始される。【選択図】      図６
2004191281.tif 000002
【特許請求の範囲】
【請求項１】
所定のポイントにおいて撮影された動画像に対応する画像情報をネットワークを介して配信する情報配信センタと、前記ネットワークを介して前記画像情報の提供を受ける端末とからなる動画像撮影ポイント誘導システムであって、
前記情報配信センタは、
前記ポイントにおいて撮像された前記動画像に対応する前記画像情報を取り込む取り込み手段と、
前記画像情報を記憶する記憶手段と、
前記端末からの要求に応じて前記画像情報の所定のものを前記ネットワークを介して前記端末に配信する配信手段と
を備え、
前記端末は、
前記情報配信センタに対して前記画像情報の所定のものの配信を要求する要求手段と、
前記配信手段によって前記ネットワークを介して配信された前記画像情報を表示する表示手段と、
前記表示手段によって表示された前記画像情報の中から所定のものを選択する選択手段と、
前記選択手段によって選択された前記画像情報に対応する前記動画像が撮影された前記ポイントまでルート案内を行う案内手段と
を備えることを特徴とする動画像撮影ポイント誘導システム。
【請求項２】
前記画像情報に対応する前記動画像が撮影された各ポイントの経度緯度情報と、各ポイントの識別情報とを対応付けて記憶する記憶手段をさらに備える
ことを特徴とする請求項１に記載の動画像撮影ポイント誘導システム。
【請求項３】
前記案内手段は、前記選択手段によって選択された前記画像情報に対応する前記動画像が撮影された前記ポイントの経度緯度情報を前記記憶手段から取得し、前記経度緯度情報に基づいて前記ポイントまでルート案内を行う
ことを特徴とする請求項２に記載の動画像撮影ポイント誘導システム。
【請求項４】
前記動画像は、サーフポイントで撮影された波の動画像である
ことを特徴とする請求項１または２に記載の動画像撮影ポイント誘導システム。
【請求項５】
所定のポイントにおいて撮影された動画像に対応する画像情報をネットワークを介して配信する情報配信センタと、前記ネットワークを介して前記画像情報の提供を受ける端末とからなる動画像撮影ポイント誘導方法であって、
前記情報配信センタは、
前記ポイントにおいて撮像された前記動画像に対応する前記画像情報を取り込む取り込みステップと、
前記画像情報を記憶する記憶ステップと、
前記端末からの要求に応じて前記画像情報の所定のものを前記ネットワークを介して前記端末に配信する配信ステップと
を備え、
前記端末は、
前記情報配信センタに対して前記画像情報の所定のものの配信を要求する要求ステップと、
前記配信ステップにおいて前記ネットワークを介して配信された前記画像情報を表示する表示ステップと、
前記表示ステップにおいて表示された前記画像情報の中から所定のものを選択する選択ステップと、
前記選択ステップにおいて選択された前記画像情報に対応する前記動画像が撮影された前記ポイントまでルート案内を行う案内ステップと
を備えることを特徴とする動画像撮影ポイント誘導方法。
【請求項６】
所定のポイントにおいて撮影された動画像に対応する画像情報をネットワークを介して配信する情報配信センタと、前記ネットワークを介して前記画像情報の提供を受ける端末とからなる動画像撮影ポイント誘導システムを制御する動画像撮影ポイント誘導プログラムであって、
前記情報配信センタに、
前記ポイントにおいて撮像された前記動画像に対応する前記画像情報を取り込む取り込みステップと、
前記画像情報を記憶する記憶ステップと、
前記端末からの要求に応じて前記画像情報の所定のものを前記ネットワークを介して前記端末に配信する配信ステップと
を実行させ、
前記端末に、
前記情報配信センタに対して前記画像情報の所定のものの配信を要求する要求ステップと、
前記配信ステップにおいて前記ネットワークを介して配信された前記画像情報を表示する表示ステップと、
前記表示ステップにおいて表示された前記画像情報の中から所定のものを選択する選択ステップと、
前記選択ステップにおいて選択された前記画像情報に対応する前記動画像が撮影された前記ポイントまでルート案内を行う案内ステップと
を実行させることを特徴とする動画像撮影ポイント誘導プログラム。
【発明の詳細な説明】
【０００１】
【発明の属する技術分野】
本発明は、動画像撮影ポイント誘導システムに関し、特に、所望の動画像が撮影されたポイントまで誘導する動画像撮影ポイント誘導システムに関する。
【０００２】
【従来の技術】
情報配信センタがネットワークを介してユーザの携帯電話等の端末（ユーザ端末）に波情報の配信を行う従来の波情報配信システムにおいては、情報配信センタがネットワークを介してユーザ端末からの希望の情報配信要求を受け付けると、要求された情報をインターネットを介してユーザ端末に配信する。
【０００３】
また、上記波情報配信システムは、ユーザ端末と情報配信センタに置かれたサーバと、これらを接続するインターネットとから構成される。ユーザは、ユーザ端末を介してサーバにアクセスし、確認したいサーフポイントを決定し、ユーザ端末の画面上で所定の操作を行い、そのサーフポイントの情報の配信を要求する。この要求を受けたサーバは、要求のあったサーフポイントの情報をユーザ端末にインターネットを介して配信する。
【０００４】
また、ネットワークを介してカーナビ、映像データ送信装置，サーバ装置を接続し、サーバ装置が、ユーザが指定した装置選択情報、指定情報に基づいて、映像データ送信装置からカーナビにリアル映像情報に対応した映像データを送信する。そして、カーナビのモニタ上には、ユーザが要求したリアルタイムの映像（例えば、レストランの駐車場等）を表示する。これにより、ユーザはリアルタイムの映像を通して駐車場の混雑状況をタイムリーに把握することができるようにしたものがある（例えば、特許文献１参照）。
【０００５】
【特許文献１】
特開２００１−０２１３６８号公報（図１）
【０００６】
【発明が解決しようとする課題】
しかしながら、上記従来技術には次のような問題点があった。即ち、配信される情報が静止画であるため、実際の波の状態が、ユーザのイメージした波の状態と異なる場合があるということである。また、波の状態が分かっても、渋滞に巻き込まれたり、道に迷ったりしたために、サーフポイントまでスムーズに到着することができず、時間をロスする場合があるということである。
また、特許文献１に記載のシステムでは、ユーザがレストラン等の目的地を指定すると、その駐車場の映像が端末に送信されるようになっており、目的地が決まっていない場合には適用できないという問題があった。
【０００７】
本発明はこのような状況に鑑みてなされたものであり、ユーザに対して動画像による正確な情報を伝えることができ、ユーザが選択した動画像に対応する目的地にスムーズに移動し、到着することができるようにするものである。
【０００８】
【課題を解決するための手段】
請求項１に記載の動画像撮影ポイント誘導システムは、所定のポイントにおいて撮影された動画像に対応する画像情報をネットワークを介して配信する情報配信センタと、ネットワークを介して画像情報の提供を受ける端末とからなる動画像撮影ポイント誘導システムであって、情報配信センタは、ポイントにおいて撮像された動画像に対応する画像情報を取り込む取り込み手段と、画像情報を記憶する記憶手段と、端末からの要求に応じて画像情報の所定のものをネットワークを介して端末に配信する配信手段とを備え、端末は、情報配信センタに対して画像情報の所定のものの配信を要求する要求手段と、配信手段によってネットワークを介して配信された画像情報を表示する表示手段と、表示手段によって表示された画像情報の中から所定のものを選択する選択手段と、選択手段によって選択された画像情報に対応する動画像が撮影されたポイントまでルート案内を行う案内手段とを備えることを特徴とする。
また、画像情報に対応する動画像が撮影された各ポイントの経度緯度情報と、各ポイントの識別情報とを対応付けて記憶する記憶手段をさらに備えるようにすることができる。
また、案内手段は、選択手段によって選択された画像情報に対応する動画像が撮影されたポイントの経度緯度情報を記憶手段から取得し、経度緯度情報に基づいてポイントまでルート案内を行うようにすることができる。
また、動画像は、サーフポイントで撮影された波の動画像とすることができる。
請求項５に記載の動画像撮影ポイント誘導方法は、所定のポイントにおいて撮影された動画像に対応する画像情報をネットワークを介して配信する情報配信センタと、ネットワークを介して画像情報の提供を受ける端末とからなる動画像撮影ポイント誘導方法であって、情報配信センタは、ポイントにおいて撮像された動画像に対応する画像情報を取り込む取り込みステップと、画像情報を記憶する記憶ステップと、端末からの要求に応じて画像情報の所定のものをネットワークを介して端末に配信する配信ステップとを備え、端末は、情報配信センタに対して画像情報の所定のものの配信を要求する要求ステップと、配信ステップにおいてネットワークを介して配信された画像情報を表示する表示ステップと、表示ステップにおいて表示された画像情報の中から所定のものを選択する選択ステップと、選択ステップにおいて選択された画像情報に対応する動画像が撮影されたポイントまでルート案内を行う案内ステップとを備えることを特徴とする。
請求項６に記載の動画像撮影ポイント誘導プログラムは、所定のポイントにおいて撮影された動画像に対応する画像情報をネットワークを介して配信する情報配信センタと、ネットワークを介して画像情報の提供を受ける端末とからなる動画像撮影ポイント誘導システムを制御する動画像撮影ポイント誘導プログラムであって、情報配信センタに、ポイントにおいて撮像された動画像に対応する画像情報を取り込む取り込みステップと、画像情報を記憶する記憶ステップと、端末からの要求に応じて画像情報の所定のものをネットワークを介して端末に配信する配信ステップとを実行させ、端末に、情報配信センタに対して画像情報の所定のものの配信を要求する要求ステップと、配信ステップにおいてネットワークを介して配信された画像情報を表示する表示ステップと、表示ステップにおいて表示された画像情報の中から所定のものを選択する選択ステップと、選択ステップにおいて選択された画像情報に対応する動画像が撮影されたポイントまでルート案内を行う案内ステップとを実行させることを特徴とする。
【０００９】
【発明の実施の形態】
本発明は、ユーザが、サーバから送信されてきた波の動画からなるメニューを自身のカーナビゲーションシステムの画面に表示させ、メニューの中から選択した動画に該当するサーフポイントまで誘導するものである。
【００１０】
図１は、本発明の動画像撮影ポイント誘導システムを応用したサーフポイント誘導システムの一実施の形態の構成例を示すブロック図である。同図に示すように、本実施の形態は、カメラ１と、情報配信センタサーバ２と、ユーザ端末（カーナビゲーションシステム）３とから構成されている。カメラ１は、各サーフポイントで撮影した波の動画に対応する動画情報を含む送信情報をインターネット等のネットワークを介してリアルタイムで情報配信センタサーバ２に送信するようになっている。送信情報は、ユーザ側のユーザ端末３上で各サーフポイントの波の動画情報を表示させるための情報であり、波の動画情報とその動画情報に対応するサーフポイントを示す情報等からなる。
【００１１】
情報配信センタサーバ２は、情報の配信者によって使用され、ワークステーション・サーバ等の情報処理装置によって構成され、各サーフポイントに設置されたカメラ１からインターネット等を介してリアルタイムで送信された各サーフポイントの波の動画情報を取り込む機能を備えており、取り込んだ各サーフポイントの波の動画情報を対応するエリア毎に記憶するようになっている。また、ユーザの操作によりユーザ端末３からインターネット等を介して送信されてきた、ユーザが希望するエリアを示すエリア情報を受け取り、そのエリア情報に対応するエリアに含まれる全てのサーフポイントの波の動画情報をインターネット等を介してユーザ端末３に配信する機能を備えている。
【００１２】
ユーザ端末３は、カーナビゲーションシステム、またはカーナビゲーション機能を有するパーソナルコンピュータ等の情報処理端末であり、図示せぬ記憶装置やタッチパネルを備え、インターネットを介して各種情報の送受信を行う通信制御部、および各部を制御するとともに、ルート案内等のカーナビゲーション機能を実現する制御部等により構成されている。
【００１３】
ユーザ端末３の図示せぬ記憶装置には、地図情報や各種選択画面を表示するための表示データが記憶されており、図示せぬタッチパネルには各種情報が表示されるとともに、選択操作が行われるようになっている。例えば、ユーザは、タッチパネルに表示された後述するエリア選択画面を構成するエリアメニューの中の希望するエリアを指でタッチすることにより、そのエリアを選択することができるようになっている。また、記憶装置には、各サーフポイントの位置情報（経度緯度情報）が記憶されている。この位置情報は、後述する誘導（ルート案内）に用いられる。
【００１４】
また、ユーザ端末３は、希望するエリアが選択されると、自動的に情報配信センタサーバ２にインターネット等を介してアクセスし、情報配信センタサーバ２が提供している波の動画情報のうち、選択されたエリアに含まれるサーフポイントの波の動画情報をインターネット等を介して取り込み、タッチパネルに一覧表示する機能を備えている。また、情報配信センタサーバ２から受け取った波の動画情報の一覧がタッチパネルに表示されるので、希望する波の動画情報が表示されている部分をタッチすることにより、希望する波の立っているサーフポイントを選択することができるようになっている。
【００１５】
また、ユーザ端末３は、波の動画情報の中の所定のものが選択されると、カーナビゲーション機能を起動し、選択された波の動画情報に対応するサーフポイントを目的地として設定し、そのサーフポイントまで誘導（ルート案内）するようになっている。
【００１６】
ユーザが、ユーザ端末３を用いて、タッチパネルに表示されたエリアの中から希望のエリアを選択すると、ユーザ端末３は、希望するエリアの情報を要求する要求エリア情報をインターネット等を介して情報配信センタサーバ２に送出する。情報配信センタサーバ２は、ユーザ端末３から送信されてきた要求エリア情報を受け取ると、該当エリア内の各サーフポイントの波の動画情報（画像データ）をインターネット等を介してユーザ端末３に配信するようになっている。
【００１７】
ユーザ端末３は、情報配信センタサーバ２から配信された各サーフポイントの波の動画情報を受け取ると、受け取った各サーフポイントの波の動画情報の一覧タッチパネルに表示するようになっている。これにより、ユーザは、各サーフポイントの現在の波の状態を動画像によってほぼリアルタイムに（多少のタイムラグが存在する）、かつ詳細に把握することができる。
【００１８】
ユーザが、ユーザ端末３のタッチパネルに一覧表示された波の動画情報の中から希望する波の動画情報を所定の選択操作（画面をタッチすること）によって選択すると、その選択操作に連動してカーナビゲーション機能が起動され、選択された波の動画情報に対応するサーフポイント（その波の動画情報に対応する動画像が撮影されたサーフポイント）まで誘導（ルート案内）を開始するようになっている。
【００１９】
次に、図２のフローチャートを参照して、本実施の形態の動作について詳細に説明する。なお、ここでは、ユーザ端末３は、タッチパネルを備えているものとする。まず最初に、カメラ１は、各サーフポイントの波の画像（動画像）を撮影する（ステップＡ１）。次に、カメラ１は、撮影した波の動画像に対応する動画情報を情報配信センタサーバ２にインターネット等を介して送信する（ステップＡ２）。次に、情報配信センタサーバ２は、カメラ１から受け取った波の動画情報を図示せぬ記憶装置に格納する。
【００２０】
このとき、情報配信センタサーバ２は、波の動画情報を各エリア別に図示せぬ記憶装置に格納する（ステップＡ３）。上記各エリアには、１または複数のサーフポイントがそれぞれ含まれており、各サーフポイントで撮影された動画の動画情報が、そのサーフポイントに対応するエリアに対応付けて記憶装置に記憶される。
【００２１】
一方、ユーザは、ユーザ端末３に対して所定の操作を行って図３に示すようなナビゲータメニューからなるナビゲータ画面をタッチパネルに表示させる。この例では、ナビゲータメニューは、「天気情報」ボタンと、「アミューズメント」ボタンと、「交通情報」ボタンと、「波情報」ボタンとから構成されている。
【００２２】
いま、ユーザが、ユーザ端末３のタッチパネルに表示されたナビゲータメニューの中の「波情報」ボタンをタッチする（ステップＡ４）と、図４に示すようなエリアメニューからなるエリア選択画面がタッチパネルに表示される。この例では、エリアメニューは、「北海道」ボタンと、「東北」ボタンと、「関東」ボタンと、「東海」ボタンと、「関西」ボタンと、「四国」ボタンと、「九州」ボタンと、「沖縄」ボタンとから構成されている。
【００２３】
タッチパネルに表示されたエリアメニューの中の希望するエリアのボタン（いまの場合、「関東」ボタン）をタッチする（ステップＡ５）と、図５に示すような、さらに詳細なエリア詳細メニュー（関東）からなる詳細エリア選択画面がタッチパネルに表示される。この例では、エリア詳細メニュー（関東）は、「茨城」ボタンと、「千葉」ボタンと、「湘南」ボタンとから構成されている。
【００２４】
エリア詳細メニュー（関東）の中の希望するエリアのボタン（いまの場合、「湘南」ボタン）をタッチする（ステップＡ６）と、ユーザ端末３は、自動的に情報配信センタサーバ２にインターネット等を介してアクセスし、選択されたエリア（いまの場合、「湘南」）を示すエリア情報を情報配信センタサーバ２に送信する（ステップＡ７）。
【００２５】
情報配信センタサーバ２は、ユーザ端末３から送信されてきたエリア情報を受信すると、エリア情報によって示されたエリア（いまの場合、「湘南」）に対応する各サーフポイントの波の動画情報を記憶装置から読み出し、読み出した波の動画情報をインターネット等を介してユーザ端末３に配信する。（ステップＡ８）。
【００２６】
ユーザ端末３は、情報配信センタサーバ２から配信された希望するエリア（いまの場合、「湘南」）の各サーフポイントの波の動画情報を受信すると、タッチパネルに一覧表示する。いまの場合、図６に示すような、波動画メニュー（湘南）からなる波動画選択画面がタッチパネルに表示される。波動画メニュー（湘南）は、サーフポイント「鎌倉」の波動画と、「鵠沼」の波動画と、「辻堂」の波動画と、「茅ヶ崎」の波動画と、「大磯」の波動画と、「湯河原」の波動画とから構成されている。これらの波動画により、ユーザは、各サーフポイントの波の状態をほぼリアルタイムにかつ詳細に把握することができる。
【００２７】
ユーザが、タッチパネルに表示された希望するサーフポイントの波動画をタッチする（ステップＡ９）と、選択された波動画に対応するサーフポイントに対応する位置情報（経度緯度情報）がユーザ端末３の記憶装置から読み出され、そのサーフポイントの位置が目的地としてセットされ、カーナビゲーション機能が起動され、そのサーフポイントへの誘導（ルート案内）が開始される（ステップＡ１０）。
【００２８】
ユーザは、ユーザ端末３のルート案内通りに自動車を運転することにより、選択した波動画に対応するサーフポイントにスムーズに移動し、到着することができる。
【００２９】
以上説明したように、本実施の形態により、次のような効果を得ることができる。第１の効果は、ユーザが手間を掛けずに希望の波が立っているサーフポイントにスムーズに移動し、到着できることである。特に、初めてのサーフポイントに行く時であれば、その効果は顕著である。その理由は、ユーザはタッチパネルに表示された波動画メニューの希望する波動画をタッチするだけで、その波動画に対応するサーフポイントが目的地として設定され、カーナビゲーション機能が起動され、そのサーフポイントまでのルート案内が開始され、その案内に従えばサーフポイントに誘導されるようにしたためである。第２の効果は、波動画メニューの選択項目が動画像で構成されているため、ユーザに確実に波の情報（波の高さや波の状態等）を伝えることができ、ユーザは希望する波が立っているサーフポイントをより確実に選択することができることである。
【００３０】
また、本実施の形態において、ユーザは、情報配信センタサーバ２を運用する事業者に対して、取得した情報に応じて月毎等に所定の使用料金を支払うようにすることができる。
【００３１】
なお、上記実施の形態においては、情報を表示するとともに、情報を選択する操作が可能なタッチパネルを用いるようにしたが、情報を表示する表示装置と、操作キー等を用いるようにすることも可能である。
【００３２】
また、上記実施の形態においては、動画像に対応するサーフポイントの位置を示す位置情報をユーザ端末３の記憶装置に予め記憶させるようにしたが、情報配信センタサーバ２が波の動画情報とともにその動画情報に対応するサーフポイントの位置情報をユーザ端末３に配信するようにすることもできる。その場合、カメラ１の位置（サーフポイントの位置）が変更された場合にも対応することができ、その場合でも確実にそのサーフポイントまで誘導することができる。
【００３３】
また、上記実施の形態においては、本発明をサーフポイントの選択および誘導に適用する場合について説明したが、これに限定されるものではない。
【００３４】
また、上記実施の形態の構成及び動作は例であって、本発明の趣旨を逸脱しない範囲で適宜変更することができることは言うまでもない。
【００３５】
【発明の効果】
以上の如く、本発明に係る動画像撮影ポイント誘導システムによれば、情報配信センタは、所定のポイントにおいて撮像された動画像に対応する画像情報を取り込み、画像情報を記憶し、端末からの要求に応じて画像情報の所定のものをネットワークを介して端末に配信し、端末は、情報配信センタに対して画像情報の所定のものの配信を要求し、ネットワークを介して配信された画像情報を表示し、表示された画像情報の中から所定のものを選択し、選択された画像情報に対応する動画像が撮影されたポイントまでルート案内を行うようにしたので、動画像によりユーザに対してより正確な情報を伝えることができ、ユーザは、希望する動画像に対応する画像情報を選択するだけで、その動画像が撮影されたポイントにスムーズに移動し、到着することができる。
【図面の簡単な説明】
【図１】本発明の動画像撮影ポイント誘導システムの一実施の形態の構成例を示す図である。
【図２】図１の実施の形態の動作を説明するためのフローチャートである。
【図３】ナビゲータ画面例を示す図である。
【図４】エリア選択画面例を示す図である。
【図５】詳細エリア選択画面例を示す図である。
【図６】波動画選択画面例を示す図である。
【符号の説明】
１  カメラ
２  情報配信センタサーバ
３  ユーザ端末
【図１】
2004191281.tif 000003
【図２】
2004191281.tif 000004
【図３】
2004191281.tif 000005
【図４】
2004191281.tif 000006
【図５】
2004191281.tif 000007
【図６】
2004191281.tif 000008